(57)【要約】【課題】コンクリート床として堆肥材料を堆積させる、所定の堆肥場所に対する堆肥材料の投入および堆積作業を容易にし、かつ、堆積した堆肥材料から滲出して堆肥材料の上表面に水溜まり状に溜まるようになる液を、堆肥材料から適確に分離し得るようにする。【解決手段】  四周の壁面のうちの少なくとも一つの壁面１１を下降傾斜する傾斜面とした側断面において略三角形乃至台形をなす壕１を構築し、それの四周の壁面および底面をコンクリートで成形して内張りして、まわりに構築する建屋４の屋根で覆い、その建屋４には、壕１の傾斜面とした壁面１１の上端縁に対向する部位に、壕１内に堆肥材料を投入するための入口ｃを設け、その建屋４の天井部にホイストクレーン５を、左右および前後に移動可能に装架し、そのホイストクレーン５に、開閉作動するバケット６を吊り下げる。【選択図】図１
2005126298.tif 000002
【特許請求の範囲】
【請求項１】
四周の壁面のうちの少なくとも一つの壁面１１を下降傾斜する傾斜面とした側断面において略三角形乃至台形をなす壕１を構築し、それの四周の壁面および底面をコンクリートで成形して内張りして、まわりに構築する建屋４の屋根で覆い、その建屋４には、壕１の傾斜面とした壁面１１の上端縁に対向する部位に、壕１内に堆肥材料を投入するための入口ｃを設け、その建屋４の天井部にホイストクレーン５を、左右および前後に移動可能に装架し、そのホイストクレーン５に、開閉作動するバケット６を吊り下げたことを特徴とする堆肥製造施設。
【請求項２】
構築した壕１の底部の下方で内張りしたコンクリート層２の下方に、集液槽３１を埋設しておき、該集液槽３１を、壕１内の底部に対しコンクリート層２を貫通する排液管３０を介して連通させ、かつ、その集液槽３１には、そこに集められる液を外部に取り出す取出管３２を接続しておくことを特徴とする請求項１記載の堆肥造成施設。
【請求項３】
壕１の四周の壁面のうちの下降傾斜する正面側の壁面１１に内張りされるコンクリート層２の壕１内に対面する内面側に、透水材よりなる透水層７を所定厚さに装設し、その透水層７の下端側を、壕１の底部のコンクリート層２の下方に埋設しておく集液槽３１に前記コンクリート層２を透通する排液管３０を介して連通させ、その集液槽３１に、集液を取り出す取出管３２を接続しておくことを特徴とする請求項１・請求項２記載の堆肥製造施設。
【請求項４】
壕１を、左右の壁面１３および背面側の壁面１０が略垂直で、正面側の壁面１１が前記背面側の壁面１０に向け下降傾斜して前後に狭い巾の底面１２に連続する側断面において略台形をなす形状に構築して、それの四周の壁面１０・１１・１３および底面１２をコンクリートの打込みにより内張り成形し、傾斜する正面側の壁面１１およびこれに対向する背面側の壁面１０に内張り成形したコンクリート層２の壕１内に対面する内面側に、透水材よりなる透水層７を装設し、その透水層７の下縁部を、壕１の底部のコンクリート層２の下方に埋設しておく集液槽３１に、前記コンクリート層２を貫通する排液管３０を介して連通させ、その集液槽３１に集液を取り出す取出管３２を接続しておくことを特徴とする請求項１記載の堆肥製造施設。
【請求項５】
壕１の壁面の内面に積層状に装設する透水層７の透水材を、砂利・砂とすることを特徴とする請求項２・請求項３記載の堆肥製造施設。
【請求項６】
壕１の壁面に内張りするコンクリート層２の壕１内に向かう内面側に装設する透水層７の透水材を、周面に無数の透孔が開設してある竹筒・金属筒を束ねたものとすることを特徴とする請求項２・請求項３記載の堆肥製造施設。
【請求項７】
壕１の壁面に内張りするコンクリート層２の壕１内に向かう内面側に装設する透水層の透水材を、疎剛な繊維材を集積せしめてそれの表面をすのこで押さえたものとすることを特徴とする請求項２・請求項３記載の堆肥製造施設。
【請求項８】
壕１の周辺に、壕１の底部の下方に設ける集液槽３１から取り出す液を導入して醗酵させる醗酵槽８１を設けるとともに、建屋４の天井部に噴霧ノズルＮを設けて、前記醗酵槽８１で醗酵処理した醗酵液をポンプアップして噴霧ノズルＮに導き、壕１内に堆積する堆肥材料に噴霧せしめるようにしておくことを特徴とする請求項２・請求項３記載の堆肥製造施設。
【請求項９】
壕１の四周の壁面のうちの、左右の壁面１３および背面側の壁面１０に成形するコンクリートを上方に延長して壁状に連続する基礎ａを構築し、正面側の傾斜する壁面１１の上端部の外側位置にコンクリートの柱状の基礎ｂを所定間隔をおいて並列させて構築し、この壁状の基礎ａと柱状の基礎ｂの上に、建屋４を構築し、正面側の柱状の基礎ｂと基礎ｂとの間隔を堆肥材料の投入用の入口ｃとすることを特徴とする請求項１記載の堆肥製造施設。
【請求項１０】
建屋４の屋根面を、透光性のガラス・樹脂材で葺き上げることを特徴とする請求項１記載の堆肥製造施設。
【請求項１１】
四周の壁面のうちの少なくとも一つの壁面１１を下降傾斜する傾斜面とした側断面において略三角形乃至台形をなす壕１を構築し、それの四周の壁面および底面をコンクリートで内張り成形して建屋４で覆い、その建屋４には、壕１の傾斜面とした壁面１１の上端部に対向する部位に、壕１内に堆肥材料を投入するための入口ｃを設け、その建屋４の天井部にホイストクレーン５を、左右および前後に移動可能に装架し、そのホイストクレーン５に、開閉作動するバケット６を吊り下げた堆肥製造施設において、堆肥材料を、入口ｃから傾斜する壁面１１上に投入して、その堆肥材料を傾斜する壁面１１の傾斜により傾斜下降側に自然流下させて壕１内に順次堆積させ、それにより堆積させた堆肥材料のうちの傾斜する壁面１１の下降端側に位置する部位の堆肥材料を、ホイストクレーン５に吊り下げたバケット６により掘削して掘り上げ、入口ｃ側に運搬し、傾斜する壁面１１の上端部に放出する作動の繰り返しにより堆積した堆肥材料の切り返しを行って、堆肥を熟成させることを特徴とする堆肥製造方法。
【請求項１２】
四周の壁面のうちの少なくとも一つの壁面１１を下降傾斜する傾斜面とした側断面において略三角形乃至台形をなす壕１を構築し、それの四周の壁面および底面をコンクリートで内張り成形して、別に構築する建屋４で覆い、その建屋４には、壕１の傾斜面とした壁面１１の上端縁に対向する部位に、壕１内に堆肥材料を投入するための入口ｃを設け、その建屋４の天井部にホイストクレーン５を、左右および前後に移動可能に装架し、そのホイストクレーン５に、開閉作動するバケット６を吊り下げ、壕１の底部のコンクリート層２の下方に、集液槽３１を埋設し、その集液槽３１を前記コンクリート層２を貫通する排液管３０を介して壕１内の底部に連通させ、その集液槽３１にそこに集める液を取出す排出管３２を接続させた堆肥製造施設において、堆肥材料の厩肥を入口ｃから壕１に順次投入して、傾斜する壁面１１に沿う傾斜状態に堆積せしめ、堆積により堆肥表面に滲出してくる厩肥中の尿液を、傾斜して堆積する堆肥の下降側の上表面に集め、その尿液が集まる堆肥の下降側の部位を、ホイストクレーン５のバケット６により堆積する堆肥の他の部位に移動させて、壕１の底面が露出するように掘削することにより、堆肥の上表面に滲出してくる尿液を、壕１の底面に導き、排液管３０により集液槽３１に排出せしめて、厩肥から尿液を分離せしめることを特徴とする堆肥製造方法。
【発明の詳細な説明】
【技術分野】
【０００１】
本発明は、堆肥材料を堆積せしめて堆肥を造成する堆肥製造施設およびこの堆肥製造施設により堆肥を造成する堆肥製造方法に関するものである。
【背景技術】
【０００２】
堆肥の造成は、従前にあっては、厩肥等の堆肥材料を、圃場の適宜の場所に、野積みするか、または素堀りの穴または溝穴に投入して堆積せしめ、好気性の醗酵を行わせて良質の堆肥に熟成させることで造成するようにしていたが、家畜排泄物処理法が平成１１年１１月１日に施行されて、堆肥材料として堆積した厩肥中の家畜排泄物の汚水が地下に滲透して、地下水・河川に流入して汚染するのを防止するための管理基準が示されてからは、屋根付きコンクリート床とした堆肥造成施設を構築して、その施設により堆肥の造成を行なうようになってきている。
【０００３】
このように、家畜排泄物処理法に基づく管理基準に適応するものとして構築されている堆肥造成施設は、通常、図８に示しているように、敷地の、堆肥材料を堆積させて堆肥を造成するための所望の場所に、コンクリートの打込みによりコンクリート床９０を敷設し、その床９０の上面に、平面視において正面側が開放するコの字状にコンクリート壁９１で囲われた区画９２を複数個並列させて装設して、この区画９２内に堆肥材料を堆積させるようにして、これらを前記敷設したコンクリート床９０上に構築する建屋９３で覆い込むことで、屋根付きコンクリート床の堆肥積み施設を構成するようにしている。
【０００４】
このように構築される堆肥造成施設における堆肥の造成は、各区画９２の開放する正面側から、堆肥材料を区画９２内に投入して堆積させて行なうが、堆肥材料が屎尿を多量に含む重い厩肥の場合に、これを通常、ホークを用いて人手で区画９２内に投入して堆積させていく作業が厄介な問題がある。また、堆肥の造成は、堆肥材料を好気性の菌により醗酵させることで行なうが、この醗酵が堆肥材料の全体に均一に進行するようにするため、所定の日時をおいた時期に積みかえて切り返す作業が必要である。この切り返しは、従前の野積みの場合は、隣接する場所に積みかえることで行ってきたが、堆肥造成施設では、並設した区画９２のうちの一つを空けておいて、これに、隣接する区画９２内の堆肥材料を積みかえることで行なうことから、この切り返しのための積みかえ作業が厄介な問題がある。
【０００５】
この堆肥材料を、コンクリート床とした所定の積込場所に投入して堆積させる作業、および、堆積した堆肥材料を所定の時期に積みかえて切り返す作業は、それが行える機械・装置を施設に装備せしめておくことで楽に行えるようになるが、これら作業が適確に行われるよう機械・装置を構成することがむずかしいだけでなく、その機械装置が複雑なものとなることで高価なものとなる問題がある。
【０００６】
さらに、堆肥材料として堆積させた厩肥に含まれる尿液は、厩肥が重粘で透水性が殆どないことで、堆肥材料を透過してコンクリート床９０の床面まで流動することはなく、逆に、堆積した堆肥の上表面に上澄み液のように滲出してくるようになって、その堆肥の上表面に水溜まり状に溜まるようになることから、この厩肥から滲出する尿液の処理が厄介な問題がある。
【発明の開示】
【発明が解決しようとする課題】
【０００７】
解決しようとする問題点は、コンクリート床とした堆肥材料を堆積させる所定の堆積場所に対する堆肥材料の投入および堆積作業が厄介な点と堆積した堆肥材料を切り返す作業が厄介な点であり、さらに、堆積した堆肥材料から滲出してきてその堆肥材料の上表面に水溜まり状に溜まるようになる液を堆肥材料から分離除去するのが困難な点にある。
【課題を解決するための手段】
【０００８】
本発明においては、上述の課題を解決するための手段として、堆肥材を堆積させようとする所定の堆肥場所に、四周の壁面のうちの少なくとも一つの壁面１１を、そこに堆積する堆肥材がずり落ちる程度に下降傾斜させた傾斜面とした側断面において略三角形乃至台形をなす壕１を構築し、それの四周の壁面および底面をコンクリートの打込み成形により内張りして、コンクリート床の堆積場所に構成し、この壕１をそれのまわりに構築する建屋４の屋根４２により覆い、この建屋４には、壕１の傾斜面とした壁面１１の上端縁に対向する側に、壕１内に堆肥材料を投入するための入口ｃを設け、かつ、建屋４の天井部にホイストクレーン５を左右および前後に移動可能に装架し、このホイストクレーン５に、開閉作動するバケット６を昇降自在に吊下げてなる堆肥造成施設を提起するものである。
【０００９】
また、この手段に併せて、上述の堆肥造成施設の壕１の内張りしたコンクリート層２の下方に、集液槽３１を埋設しておいて、これを、壕１内の底部に、コンクリート層２を貫通する排液管３０を介して連通させ、かつ、集液槽３１には、そこに集められる液を外部に取り出す取出管３２を接続して構成する堆肥造成施設を提起するものである。
【００１０】
さらに、上述の堆肥造成施設において、壕１の四周の壁面のうちの、下降傾斜する正面側の壁面１１に内張りされるコンクリート層２の、壕１内に対面する内面側に、透水材よりなる透水層７を所定厚さに装設して、その透水層７の下縁側を、壕１の底部のコンクリート層２の下方に埋設しておく集液槽３１に対しコンクリート層２を貫通する排液管３０を介して連通させ、その集液槽３１に、集液を取り出す取出管３２を接続しておく手段、および、
【００１１】
上述の堆肥造成施設において、壕１を、左右の壁面および背面側の壁面が略垂直で、正面側の壁面が前記背面側の壁面に向け下降傾斜して前後に狭い巾の底面に連続する側断面において略台形をなす形状に構築して、それの四周の壁面および底面をコンクリートにより内張り成形し、傾斜する正面側の壁面およびこれに対向する背面側の壁面に内張り成形したコンクリート層２の壕１内に対面する内面側に、透水材よりなる透水層７を装設し、その透水層１の下縁部を、壕１の底部のコンクリート層２の下方に埋設しておく集液槽３１に、前記コンクリート層２を貫通する排液管３０を介して連通し、集液槽３１にそこに集められる液を取り出す取出管３２を接続しておく手段、および
【００１２】
上述の堆肥造成施設において、壕１の壁面に内張りするコンクリート層２の壕１内に対面する内面側に装設する透水層７の透水材を、周面に無数の透孔が開設してある竹筒・金属筒を束ねたものとする手段、および
【００１３】
上述の堆肥造成施設において、透水層７を構成する透水材を、疎剛な繊維材を集積して、それの表面をすのこで押さえたものとする手段、および
【００１４】
上述の堆肥造成施設において、透水層７を構成する透水材を、砂利・砂とする手段、および
【００１５】
上述の堆肥造成施設において、壕１の周辺に、壕１の底部の下方に設ける集液槽３１から取り出す液を導入して醗酵させる醗酵槽８１を設けるとともに、建屋４の天井部に噴霧ノズルＮを設けておいて、前記醗酵槽８１で醗酵処理した醗酵液をポンプアップして噴霧ノズルＮに導き、壕１内に堆積せる堆肥材料に噴霧せしめるようにする手段、および
【００１６】
上述の堆肥造成施設において、壕１の四周の壁面のうちの、左右の壁面１３および背面側の壁面１０に成形するコンクリート層２を上方に延長して壁状に連続する基礎ａを構築し、正面側の傾斜する壁面１１の上端部の外側位置にコンクリートの柱状の基礎ｂを所定間隔をおいて並列させて構築し、この壁状の基礎ａと柱状の基礎ｂの上に、建屋４を構築し、正面側の柱状の基礎ｂと基礎ｂとの間隔を堆肥材料の投入用の入口とする手段、および
【００１７】
上述の堆肥造成施設において、建屋４の屋根面を、透光性ガラス・樹脂材で葺き上げ、屋根付きコンクリート床の堆肥積み施設を開放する温室状に構成する手段、を提起するものである。
【００１８】
さらにまた、四周の壁面のうちの少なくとも一つの壁面１１を下降傾斜する傾斜面とした側断面において略三角形乃至台形をなす壕１を構築し、それの四周の壁面および底面をコンクリートで内張り成形して建屋４で覆い、その建屋４には、壕１の傾斜面とした壁面１１の上端部に対向する部位に、壕１内に堆肥材料を投入するための入口ｃを設け、その建屋４の天井部にホイストクレーン５を、左右および前後に移動可能に装架し、そのホイストクレーン５に、開閉作動するバケット６を吊り下げた堆肥製造施設において、堆肥材料を、入口ｃから傾斜する壁面１１上に投入して、その堆肥材料を傾斜する壁面１１の傾斜により傾斜下降側に自然流下させて壕１内に順次堆積させ、それにより堆積させた堆肥材料のうちの傾斜する壁面１１の下降端側に位置する部位の堆肥材料を、ホイストクレーン５に吊り下げたバケット６により掘削して掘り上げ、入口ｃ側に運搬し、傾斜する壁面１１の上端部に放出する作動の繰り返しにより堆積した堆肥材料の切り返しを行って、堆肥を熟成させることを特徴とする堆肥製造方法、および
【００１９】
四周の壁面のうちの少なくとも一つの壁面１１を下降傾斜する傾斜面とした側断面において略三角形乃至台形をなす壕１を構築し、それの四周の壁面および底面をコンクリートで内張り成形して、構築する建屋４で覆い、その建屋４には、壕１の傾斜面とした壁面の上端線に対向する部位に、壕１内に堆肥材料を投入するための入口ｃを設け、その建屋４の天井部にホイストクレーン５を、左右および前後に移動可能に装架し、そのホイストクレーン５に、開閉作動するバケット６を吊り下げ、壕１の底部のコンクリート層２の下方に集液槽３１を埋設し、その集液槽３１を前記コンクリート層２を貫通する排液管３０を介して壕１内の底部に連通させ、その集液槽３１にそこに集める液を取出す排出管３２を接続させた堆肥製造施設において、堆肥材料の厩肥を入口ｃから壕１内に順次投入して、傾斜する壁面に沿う傾斜状態に堆積せしめ、堆積により堆肥表面に滲出してくる厩肥中の尿液を、傾斜して堆積する堆肥の下降側の上表面に集め、その尿液が集まる下降側の部位の堆肥を、ホイストクレーン５のバケット６により堆積する堆肥の他の部位に移動させて、壕１の底面が露出するように掘削することにより、堆肥の上表面に滲出してくる尿液を、壕１の底面に導き、排液管３０により集液槽３１に排出せしめることで、厩肥から尿液を分離せしめて厩肥を堆肥に造成する堆肥製造方法を提起するものである。
【発明の効果】
【００２０】
このように構成する発明手段による堆肥造成施設と堆肥製造方法は、堆肥材料を堆積させて堆肥を造成するときに、ダンプカー等の運搬車で建屋４の入口ｃまで運搬してきた堆肥材料を、その入口ｃにおいて、壕１の傾斜面とした壁面１１の傾斜上端側に放出して投入すれば、その堆肥材料が傾斜面とした壁面１１上を順次流動して壕１の底部に向けずり落ち、壕１内に堆積していくようになる。
【００２１】
そして、この堆積した堆肥材料の内部における醗酵が進行したところで、ホイストクレーン５に吊り下げたバケット６を、壕１内の傾斜面とした壁面１１の下降端側の上方に位置させ、このバケット６を、それに装備させておく油圧シリンダ等の開閉作動機構により開放した状態に保持せしめて吊り落とし、そのバケット６が堆肥の上面に当接したところで開閉作動機構により閉じ合わせて堆肥を掴み取るように掘削させ、その状態でのバケット６の吊り上げて掘削した堆肥を持ち上げ、ホイストクレーン５の移動により傾斜面とした壁面１１の上端側の上方にバケット６を動かし、その位置においてバケット６を開放作動させて掴み取っていた堆肥を放出して、それをバラシながら投入口となる傾斜面とした壁面１１の上端側に落下させ、この作動を繰り返すことで切り返しが行えるようになる。
【００２２】
従って、堆肥材料を堆積させる作業および堆積した堆肥材料を切り返す作業が著しく楽に行えるようになる。
【００２３】
また、壕１の底部の下方に集液槽３１を埋設しておき、これを壕１内にコンクリート層２を貫通する排液管３０で連通させておく第２の手段にあっては、壕１内に投入して堆積させる堆肥材料が、家畜の屎尿を多量に含む厩肥である場合に、堆積により重粘な厩肥の上表面に上澄み液のように滲出してくる厩肥中の尿液が、壕１内の谷底部となる傾斜面とした壁面１１の下降端側に位置する部位における堆肥の上表面に、水溜まり状に集まってくることから、この壕１内に堆積させた堆肥材料の壕１の谷底となる部位の堆肥材料を、ホイストクレーン５に吊り下げたバケット６で掴み取って堆積した堆肥の他の部位に移動させていくことにより、この谷底となる部位の堆肥材料を掘削して、その部位の壕１の床面を露出させるようにすることで、上澄液状に滲出してくる厩肥中の尿液が、この壕１の床面に設けた排液管３０からコンクリート床の下方に埋設した集液槽３１に回収されるようになるから、厩肥を堆積させて堆肥に造成するときに、この壕１の底部に位置する部位の堆肥材料をホイストクレーン５に吊り下げたバケット６により、壕１の底部の床面が露出してくるように掘削していく作業工程を組み込むことで、厩肥中の尿液の分離除去が効果的に行えるようになり、厩肥を堆積して行う堆肥の造成が、尿液を分離して好気性の醗酵に適応するよう含水率を適正に補正した状態として造成していけるようになる。
【００２４】
また、壕１の壁面に内張りしたコンクリート層２の壕１内に向かう内面側に透水材よりなる透水層７を設けておく手段にあっては、壕１内に投入して堆積させる堆肥材料を、傾斜する壁面１１上において、稜線がその壁面１１の傾斜方向に沿う畝のように堆積させ、かつ、その畝が壁面１１の傾斜方向と直交する左右方向に所定の間隔をおいて並列するように堆積させることで、堆肥材料の尿液が上澄み液のように堆肥の上表面に分離してきたときに、その尿液が堆積する堆肥の表面をつたって、堆肥の畝と堆肥の畝との間に流れ出して、壕１の壁面１１のコンクリート層２の内面側に装設した透水材よりなる透水層７により、壕１の底部下方の集液槽３１に排出させ得るようになり、厩肥をそれに含まれる尿液を分離させて堆肥に造成していけるようになる。
【発明を実施するための最良の形態】
【００２５】
次に実施の態様を、実施例につき図面に従い説明する。
【実施例１】
【００２６】
図１は本発明手段による堆肥造成施設の全体の一部を縦断した斜視図で、同図において、１は掘削して構築した壕で、平面視において長辺が約１６米、短辺が約１４米の長方形をなし、深さが約５米に形成してある。そして、背面側の壁面１０および左右の両側の壁面が略垂直で、正面側の壁面１１が床面に向け下降傾斜する傾斜壁に形成してあって、底面１２が背面側の壁面１０に寄る側に狭い巾の平面となって連続する側断面において略台形をなす形状に形成してある。
【００２７】
傾斜面に形成する正面側の壁面１１は、それの上端側に投入した堆肥材料が、それの重量により傾斜下降側に自然にずり落ちて壕１の底部に堆積していくようにするためのもので、堆肥材料の安息角よりも幾分急になる角度に設定する。この実施例においては、略３０度の勾配としている。
【００２８】
壕１の底面１２は、壕１を深く掘削して、傾斜面とする正面側の壁面１１の傾斜下降側の端部が、背面側の壁面１０に届くようになる場合には、それの前後の巾を狭くし、これにより壕１の側断面の形状が、略三角形状になるようにしてよい。
【００２９】
構築した壕１の底面１２および四周の壁面は、それらに沿う型枠を設けてコンクリートを打ち込み、コンクリート層２により内張りするように成形して壕１内を外部に対し防水する。このとき、底面１２に打ち込むコンクリート層２ａには、それの巾方向の両側部に、図２にあるように壕１内に溜まる堆肥材料中の液を導くチャンネル状の導液溝２０を形成しておき、それの溝底の適宜部位に、コンクリート層２を貫通して底面１２の下方に突出する排液管３０を設け、その排液管３０を、壕１を構築する際に底面１２の下方に予め埋設しておく集液槽３１に接続しておき、壕１に堆積する堆肥材料中から滲出して底面１２上に溜まる液を取出管３２により壕１の外に取り出せるようにしておくことが、壕１内に投入して堆積する堆肥材料が厩肥のように尿液等の多量の水分を含有している場合に有効であり、このようにしておくことが望ましい。
【００３０】
４は、壕１を覆うよう構築した建屋で、壕１の周囲に配設する基礎に、鉄骨よりなる柱材を立設し、それに鉄骨よりなる桁材と屋根材とを組み付けて軸組みし組み立てた通常の建屋であるが、この例においては、壕１の壁面に内張りするように打ち込んで成形したコンクリート層２の擁壁のうちの背面側の擁壁および左右の擁壁の上端側に、上方に延長するコンクリートの延長壁ａを構築して、この延長壁ａを基礎としてこれに柱材４０を立設し、傾斜する壁面１１に内張りした正面側のコンクリート層２の上端側には、そこに低く立ち上がるよう成形したコンクリートの擁壁の近傍位置に、コンクリートよりなる柱状の基礎ｂを、左右方向に適宜の間隔をおいて構築し、これら基礎ａ・ｂの上部に柱材４０を立設して、これら柱材４０に桁材４１と屋根材４２とを組み付けて軸組みすることで建屋４に組み立てている。
【００３１】
この建屋４の天井部には、ホイストクレーン５を走行自在に支架せる架橋５０が、その天井部の正面側と背面側の壁面に設けた左右方向のレール５１・５１間に渡架するように装架され、モーターにより左右に移動自在とし、この架橋５０に支架した前記ホイストクレーン５が、それに組み付けたモーターにより前後に移動自在としてある。そして、そのホイストクレーン５の巻揚機のワイヤーに、バケット６を吊り下げている。
【００３２】
バケット６は、図３にあるように、ボディ６０の左右の両側に掘削刃体６１・６１が開閉回動自在に軸支された通常の掘削用のバケットであり、それの左右の掘削刃体６１・６１がボディ６０に組み付けた油圧シリンダにより開閉作動する通常のものであり、その油圧シリンダの作動は、リモ−トコントロールされるようにしてある。
【００３３】
建屋４は、それの屋根面を、適宜の屋根板で葺いて、壕１の内部に堆積する堆肥材を雨水から保護するようにし、また、壕１内に堆積せしめる堆肥材料を搬入せしめるための入口ｃを適宜位置に設けるが、この例においては、正面側に構築して敷設する柱状の基礎ｂを、トラック等の堆肥材料の運搬車の機高よりも高く敷設し、かつ、その基礎ｂの間隔を前記運搬車が通過する間隔に設定しておくことで、この間隔をもって入口ｃを構成するようにしている。
【００３４】
この柱状の基礎ｂの間隔で形成する入口ｃは、その柱状の基礎ｂを建屋４の正面側の左右の全巾に渡る範囲に、その間隔をおいて複数本並列させて敷設していることで、建屋４の正面側に、複数の入口ｃが左右に並列して設けられ、各入口ｃから、壕１内の左右方向における各部位に対し堆肥材料の投入が行えるようにしてある。
【００３５】
また、これら建屋４の正面側に形成する入口ｃは、開放状態に保持され、これにより形成される大きな開放口により建屋４内を外気に対し開放する状態としている。
【００３６】
また、建屋４の屋根面は、この例においては、透光性のガラス板・樹脂板により葺き上げてあって、壕１を開放型の温室で囲った状態としている。
【実施例２】
【００３７】
図４は別の実施例を示している。この例は、壕１を側断面において略三角形乃至略台形に成形して、それの内壁面をコンクリートの打込みにより内張り成形し、これを建屋４により覆い込み、その建屋４には、傾斜面とした壁面１１の上端側となる正面側に入口ｃを設け、天井部に、ホイストクレーン５を、左右および前後に移動可能に装架して、それの巻揚機のワイヤーに、油圧シリンダ等の開閉駆動機構により開閉自在とした掘削用のバケット６を吊り下げて堆肥造成施設Ａを構成すること、およびそれの壕１の底面のコンクリート層の下方には、壕１内の底部とコンクリート層２ａを貫通する排液管３０を介して連通する集液槽３１を埋設し、この集液槽３１に集められる液を取出管３２により、取り出せるようにすることについては、前述の実施例と同様であるが、壕１の壁面に内張りするように打ち込んだコンクリート層２には、傾斜面とした壁面１１に設けたコンクリート層２および背面側の壁面１０に設けたコンクリート層２の壕１内に対面する内面側には、透水材よりなる透水層７を装設し、この透水層７の下縁部が、底面１２のコンクリート層２ａに設けた導液溝２０に連通するようにしてある。
【００３８】
また、壕１の周辺には、壕１の底部１２の下方に埋設しておく集液槽３１に回収してそこから取出管３２により取り出す尿液を濾過処理する濾過槽８０とこれにより濾過処理した液を醗酵処理するための醗酵槽８１を装設している。
【００３９】
そして、壕１の底面１２のコンクリート層２ａの下方には、熱媒体が循環する集熱器８２を埋設しておき、この集熱器８２とパイプライン８３を介して接続する放熱器８４を、前述の醗酵槽８１の内部に配設しておき、集液槽３１から取り出されて醗酵槽８１内に導いた液の温度を、堆肥造成の際に生じてくる熱により昇温させるようにしている。
【００４０】
また、この醗酵槽８１には、それの近傍に、酒粕を醗酵させる酒粕醗酵槽８５を配設し、さらに醗酵槽８１内にエアーを吹き込む送気装置８６を組み込んでおき、これにより酒粕の醗酵液の添加およびエアーの吹き込みで、醗酵槽８１において行う尿液の醗酵処理の促進が行えるようにしている。
【００４１】
そして、この醗酵槽８１には、醗酵させた液を、フイルタＦを介してひき出し、ポンプアップする圧送ポンプＰを接続しておき、これに、建屋４の天井部に配設しておく噴霧ノズルＮに抽き出した液を圧送する圧送ライン８７を接続して、醗酵処理した尿液を、壕１内に堆積する堆肥材料に対し噴霧するようにしている。
【００４２】
壕１の壁面のコンクリート層２の内面側に装設する透水層７は、図６にあるように、周面に小径の透孔を無数に開設した竹筒・金属筒７０を束ねて組み立てる透水材７ａを、コンクリート層２の内面側に形成した凹部に嵌装して構成するようにする場合、図５にあるように、すのこ７１とすのこ７１との間に適宜枚数重合した網体７２をサンドイッチ状に挟み込ませて組み立てた透水材７ｂを、同様にコンクリート層２の内面側の凹部に嵌装して構成する場合、また、図７にあるように、コンクリート層２の内面側に形設しておく凹部内に、疎剛な繊維材７３を填め込み、それの表面側をすのこ７４により押さえて形成する透水材７ｃにより構成する場合等、適宜に構成してよいが、何れの場合においても、装設した透水層７がコンクリート層２の表面から突出せず、その表面側がコンクリート層２の表面と揃うようにする。
【００４３】
次に、図８および図９は、上述した如く、壕１の壁面のコンクリート層２の内面側に、透水材７ａよりなる透水層７を装設した場合において、その透水層７を透過した厩肥中の尿液等の液を、壕１の外に配設しておく集液槽３１に導く手段の別の実施例を示している。
【００４４】
図８において、７−１は壕１の壁面を内張りするようにコンクリートを打ち込んで成形したコンクリート層２のうちで、傾斜面とした壁面１１の内面側に設けた透水材よりなる透水層、７−２はその傾斜面とした壁面１１と対向する略垂直な背面側の壁面１０の内面側に設けた透水材よりなる透水層を示す。
【００４５】
また、２０は壕１内の底部のコンクリート層２の上面側で、前記透水層７−１・７−２の各下端の下方に位置する部位に、壕１の左右方向に沿わせてその方向の略全巾に渡る長さに形成した導液溝を示している。
【００４６】
また、３０ａは、前記導液溝２０に集めた液を、壕１の底部の下方に配して埋設しておく集液槽３１に流出させるよう、壕１の底部のコンクリート層２を貫通させて配設した排液管３０の、壕１内に位置する上端側を示している。
【００４７】
この排液管３０の上端側３０ａは、排液管３０を長く延長して形成するか、別に成形して継手により接続する継管により形成してある。そして、この延長管である上端側３０ａは、壕１の底部のコンクリート層２の上面側に形成してある導液溝２０内に、その溝２０に沿いその溝２０の長手方向の略全長に渡るように敷設してあり、かつ、それの管壁の上周面側には、図９にあるよう、周方向に沿う多数のスリット状の開口３００が、軸方向に所定の間隔をおいて並列するように開設してあって、これにより、透水層７−１・７−２を経て導液溝２０内に流入する液が、前述のスリット状の開口３００から排液管３０の上端側３０ａ内に流入して、集液槽３１に導かれるようにしている。
【００４８】
この手段においては、並設した多数のスリット状の開口３００が、濾過網として作用することから、排液管３０の上端側３０ａの開口を導液溝２０の溝底に開口させる図２に示す手段に比して、排液管３０に生じる詰まりが少なくなり、液の集液槽３１への排出を確実にする。
【図面の簡単な説明】
【００４９】
【図１】本発明手段を実施せる堆肥造成施設の全体の一部破断した斜視図である。
【図２】同上の部分の一部破断した斜視図である。
【図３】同上の建屋の天井部に装架するホイストクレーンの側面図である。
【図４】同上の別の実施例の一部破断した斜視図である。
【図５】同上の実施例に用いる透水材の斜視図である。
【図６】同上の透水材の別の例の斜視図である。
【図７】同上の透水材のさらに別の例の縦断側面図である。
【図８】同上のさらに異なる実施例の要部の縦断側面図である。
【図９】同上の実施例の部分の一部省略した斜視図である。
【図１０】従前手段の堆肥造成施設の横断平面図である。
【符号の説明】
【００５０】
Ａ…堆肥造成施設、Ｎ…噴霧ノズル、Ｐ…圧送ポンプ、ａ…延長壁（基礎）、ｂ…基礎、ｃ…入口、１…壕、１０…背面側の壁面、１１…正面側の壁面、１２…底面、１３…壁面、２…コンクリート層、２ａ…底面に打ち込むコンクリート層、２０…導液溝、３０…排液管、３０ａ…上端側、３００…開口、３１…集液槽、３２…取出管、４…建屋、４０…柱材、４１…桁材、４２…屋根材、５…ホイストクレーン、５０…架橋、５１…レール、６…バケット、６０…ボディ、６１…掘削刃体、７・７−１・７−２…透水層、７ａ・７ｂ・７ｃ…透水材、７０…金属筒、７１…すのこ、７２…網体、７３…繊維材、７４…表面側のすのこ、８０…濾過槽、８１…醗酵槽、８２…集熱器、８３…パイプライン、８４…放熱器、８５…酒粕醗酵槽、８６…送気装置、８７…圧送ライン、９０…コンクリート床、９１…コンクリート壁、９２…区画、９３…建屋。
【図１】
2005126298.tif 000003
【図２】
2005126298.tif 000004
【図３】
2005126298.tif 000005
【図４】
2005126298.tif 000006
【図５】
2005126298.tif 000007
【図６】
2005126298.tif 000008
【図７】
2005126298.tif 000009
【図８】
2005126298.tif 000010
【図９】
2005126298.tif 000011
【図１０】
2005126298.tif 000012